(57)【要約】【課題】枠体を機器に設けられた外枠パネルに組み付ける際の組み付け性を向上させることができる枠体の組付構造および枠体の組付方法を提供する。【解決手段】実施形態は、枠体を機器に設けられた外枠パネルに組み付ける枠体の組付構造であって、突起部と、溝部とを備える。突起部は、枠体の周縁部に形成されるとともに、枠体が外枠パネルに組み付けられた状態のときに外枠パネルへ向けて突出するように形成される。溝部は、外枠パネルの周縁部に形成され、突起部が挿入可能とされる。また、枠体は、突起部が外枠パネルの周縁部に載置された後、突起部の載置された部位を支点として回転させられて、突起部が溝部に挿入されることで、外枠パネルと対向した状態で組み付けられる。【選択図】図１
2019218024.tif 000002
【特許請求の範囲】
【請求項１】
枠体を機器に設けられた外枠パネルに組み付ける枠体の組付構造であって、
前記枠体の周縁部に形成されるとともに、前記枠体が前記外枠パネルに組み付けられた状態のときに前記外枠パネルへ向けて突出するように形成される突起部と、
前記外枠パネルの周縁部に形成され、前記突起部が挿入可能な溝部と
を備え、
前記枠体は、
前記突起部が前記外枠パネルの周縁部に載置された後、前記突起部の載置された部位を支点として回転させられて、前記突起部が前記溝部に挿入されることで、前記外枠パネルと対向した状態で組み付けられること
を特徴とする枠体の組付構造。
【請求項２】
前記外枠パネルの周縁部に形成されるとともに、前記突起部が前記外枠パネルの周縁部に載置されたときに前記突起部と係止する凹部
を備えることを特徴とする請求項１に記載の枠体の組付構造。
【請求項３】
前記溝部は、
前記突起部が前記外枠パネルの周縁部に載置されたときに、前記突起部に当接して前記突起部の移動を規制する規制部
を備えることを特徴とする請求項１または２に記載の枠体の組付構造。
【請求項４】
前記規制部は、
前記突起部と当接する先端部位が先端に向かって凸状となるように湾曲して形成されること
を特徴とする請求項３に記載の枠体の組付構造。
【請求項５】
前記突起部は、
先端部位が先端に向かって厚さが減少するように面取りして形成されること
を特徴とする請求項１〜４のいずれか一つに記載の枠体の組付構造。
【請求項６】
前記枠体および前記外枠パネルのうちの一方の周縁部に形成される凸部と、
前記枠体および前記外枠パネルのうちの他方の周縁部に形成されるとともに、前記枠体が前記外枠パネルに組み付けられた状態のときに前記枠体の自重によって前記凸部と嵌合する嵌合部と
を備えることを特徴とする請求項１〜５のいずれか一つに記載の枠体の組付構造。
【請求項７】
前記嵌合部に隣接して設けられるリブ部と、
前記枠体が前記外枠パネルに組み付けられた状態のときに前記リブ部が挿入される第１挿入孔と
を備えることを特徴とする請求項６に記載の枠体の組付構造。
【請求項８】
前記枠体において前記突起部が形成される周縁部と対向する位置の周縁部に形成されるとともに、前記枠体が前記外枠パネルに組み付けられた状態のときに前記外枠パネルへ向けて突出するように形成される爪部と、
前記外枠パネルの周縁部に形成されるとともに、前記枠体が前記外枠パネルに組み付けられた状態のときに前記爪部が挿入される第２挿入孔と
を備えることを特徴とする請求項１〜７のいずれか一つに記載の枠体の組付構造。
【請求項９】
枠体の周縁部に形成されるとともに、前記枠体が外枠パネルに組み付けられた状態のときに前記外枠パネルへ向けて突出するように形成される突起部を備えた前記枠体を、前記外枠パネルの周縁部に形成され、前記突起部が挿入可能な溝部を備えた前記外枠パネルに組み付ける枠体の組付方法であって、
前記突起部を前記外枠パネルの周縁部に載置する工程と、
前記枠体を、前記突起部の載置された部位を支点として回転させて、前記突起部を前記溝部に挿入することで、前記外枠パネルと対向した状態で組み付ける工程と
を含むことを特徴とする枠体の組付方法。
【発明の詳細な説明】
【技術分野】
【０００１】
本発明は、枠体の組付構造および枠体の組付方法に関する。
【背景技術】
【０００２】
従来、例えばディスプレイ装置などの機器を、車両のインストルメントパネル部分に取り付ける技術が種々提案されている（例えば特許文献１参照）。
【先行技術文献】
【特許文献】
【０００３】
【特許文献１】実開平７−１３５５６号公報
【発明の概要】
【発明が解決しようとする課題】
【０００４】
ところで、上記したインストルメントパネルには、ディスプレイ装置などの機器の外観をなす意匠パネルが取り付けられる。また、機器と意匠パネルとの間に隙間が生じる場合があることから、かかる隙間を埋めるために、機器の周縁部を囲むように外枠パネルを設け、外枠パネルに枠体（ベゼル）を組み付けることがある。
【０００５】
従来技術において、枠体を外枠パネルに組み付ける際、例えば、作業者は、枠体と外枠パネルとを対向させた後、枠体を外枠パネルに両手で押し込んで組み付けるようにしていた。しかしながら、上記した両手での組み付け作業は作業者にとって煩わしく、枠体の外枠パネルへの組み付け性が低下するおそれがあった。このように、従来技術には、枠体の外枠パネルへの組み付け性の向上という点で改善の余地があった。
【０００６】
本発明は、上記に鑑みてなされたものであって、枠体を機器に設けられた外枠パネルに組み付ける際の組み付け性を向上させることができる枠体の組付構造および枠体の組付方法を提供することを目的とする。
【課題を解決するための手段】
【０００７】
上記課題を解決し、目的を達成するために、本発明は、枠体を機器に設けられた外枠パネルに組み付ける枠体の組付構造であって、突起部と、溝部とを備える。突起部は、前記枠体の周縁部に形成されるとともに、前記枠体が前記外枠パネルに組み付けられた状態のときに前記外枠パネルへ向けて突出するように形成される。溝部は、前記外枠パネルの周縁部に形成され、前記突起部が挿入可能とされる。また、前記枠体は、前記突起部が前記外枠パネルの周縁部に載置された後、前記突起部の載置された部位を支点として回転させられて、前記突起部が前記溝部に挿入されることで、前記外枠パネルと対向した状態で組み付けられる。
【発明の効果】
【０００８】
本発明によれば、枠体を機器に設けられた外枠パネルに組み付ける際の組み付け性を向上させることができる。
【図面の簡単な説明】
【０００９】
【図１】図１は、実施形態に係る枠体の組付構造の概要を示す図である。
【図２】図２は、枠体の組付構造、ディスプレイ装置および意匠パネルの分解斜視図である。
【図３】図３は、枠体を示す背面図である。
【図４】図４は、枠体の側面図である。
【図５】図５は、枠体の上面図である。
【図６】図６は、枠体の下面図である。
【図７】図７は、突起部の拡大側面図である。
【図８】図８は、外枠パネルを示す正面図である。
【図９】図９は、図８のIX−IX線断面図である。
【図１０】図１０は、図８のＸ−Ｘ線断面図である。
【図１１】図１１は、図８のXI−XI線断面図である。
【図１２Ａ】図１２Ａは、枠体の組付方法を説明するための図（その１）である。
【図１２Ｂ】図１２Ｂは、枠体の組付方法を説明するための図（その２）である。
【図１２Ｃ】図１２Ｃは、枠体の組付方法を説明するための図（その３）である。
【図１２Ｄ】図１２Ｄは、枠体の組付方法を説明するための図（その４）である。
【図１３】図１３は、突起部付近を示す拡大斜視図である。
【図１４】図１４は、突起部付近を示す拡大斜視図である。
【図１５】図１５は、突起部付近を示す縦断面図である。
【図１６】図１６は、突起部が溝部に入り込む様子を示す縦断面図である。
【図１７】図１７は、凸部と嵌合した嵌合部を示す斜視図である。
【発明を実施するための形態】
【００１０】
以下、添付図面を参照して、本願の開示する枠体の組付構造および枠体の組付方法の実施形態を詳細に説明する。なお、以下に示す実施形態によりこの発明が限定されるものではない。
【００１１】
＜１．枠体の組付構造の概要＞
まず、図１を用いて、実施形態に係る枠体の組付構造の概要について説明する。図１は、実施形態に係る枠体の組付構造の概要を示す図である。なお、図１の上段の図は、車両１の車室２内から車両前方を見たときの図である。また、図１および図２以降に示す図は、いずれも模式図である。
【００１２】
なお、図１の上段図においては、説明の便宜のために、鉛直上向きを正方向、鉛直下向きを負方向とするＺ軸、車幅方向をＸ軸、車長方向をＹ軸とした３次元の直交座標系を図示している。かかる直交座標系は、後述の説明に用いる他の図面でも示す場合がある。
【００１３】
また、以下の説明では、「Ｘ軸方向」「Ｙ軸方向」「Ｚ軸方向」などの表現を用いる場合があるが、これは機器が図示された状態で車両１に取り付けられたときの「Ｘ軸方向」「Ｙ軸方向」「Ｚ軸方向」を意味するものであって、方向を限定するものではない。
【００１４】
なお、後述する枠体を外枠パネルに組み付ける際の鉛直方向は、図１の上段図に示すＺ軸方向とは異なるが、これについては後に説明する。また、以下では、車室２内から車両１前方を見たときを基準として、Ｘ軸正方向を「右方」、Ｘ軸負方向を「左方」、Ｙ軸正方向を「前方」、Ｙ軸負方向を「後方」と記載する場合もある。
【００１５】
図１の上段に示すように、本実施形態に係る機器は、例えば、車両１に搭載される車載機器であり、具体的にはディスプレイ装置１０である。なお、以下では、機器としてディスプレイ装置１０を例にとって説明するが、これに限定されるものではなく、例えばオーディオ装置、メータ等の計器、スピーカ装置など、その他の機器（車載機器）であってもよい。
【００１６】
ディスプレイ装置１０は、表示部１１を備える。表示部１１は、液晶パネルなどの画面１１ａを備え、かかる画面１１ａには、例えばルート案内や車両１の運転状態など、運転者に対して種々の情報が表示される。
【００１７】
ディスプレイ装置１０は、表示部１１の画面１１ａが車室２側に露出するように、車室２の前方のインストルメントパネル３（以下、「インパネ３」と記載する場合がある）に位置されつつ、インパネ３の内側の車体に取り付けられて固定される。
【００１８】
また、インパネ３には、ディスプレイ装置１０の外観をなす意匠パネル４０が取り付けられる。なお、ディスプレイ装置１０は、例えばインパネ３において運転席と助手席との間の位置に配置されるが、ディスプレイ装置１０の位置は、これに限られず、車両１の種類などに応じて適宜変更可能である。
【００１９】
ところで、上記したディスプレイ装置１０と意匠パネル４０との間には、隙間が生じる場合がある。そこで、本実施形態にあっては、かかる隙間を埋めるために、ディスプレイ装置１０の周縁部を囲むように外枠パネル３０を設け、外枠パネル３０に枠体（ベゼル）２０を組み付けた状態で、インパネ３の内側の車体に取り付けられるようにする。
【００２０】
しかしながら、従来技術にあっては、枠体を外枠パネルに組み付ける際、例えば、作業者は、枠体と外枠パネルとを対向させた後、枠体を外枠パネルに両手で押し込んで組み付けるようにしていた。そのため、上記した両手での組み付け作業は作業者にとって煩わしく、枠体の外枠パネルへの組み付け性が低下するおそれがあった。
【００２１】
そこで、本実施形態に係る枠体２０の組付構造では、枠体２０の外枠パネル３０への組み付け性を向上させることができるようにした。
【００２２】
図１の下段の図は、本実施形態に係る枠体２０の組付構造１００を示す図であり、枠体２０および外枠パネル３０などの縦断面図である。また、図１の下段の図において、左図は、枠体２０が外枠パネル３０に組み付けられる前の状態、言い換えると、枠体２０の外枠パネル３０への組み付けを開始するときの状態を示し、右図は、枠体２０が外枠パネル３０に組み付けられた状態を示している。なお、図１の下段図においては、図示の簡略化のため、ディスプレイ装置１０を二点鎖線で示した。
【００２３】
また、枠体２０を外枠パネル３０に組み付ける際、ディスプレイ装置１０は、画面１１ａ側が鉛直上向き、画面１１ａとは反対側が鉛直下向きの状態とされる。従って、図１の下段図を含む、枠体２０の外枠パネル３０への組み付けを示す図にあっては、鉛直下向き方向を示す矢印を記載するようにした。
【００２４】
図１の下段図に示すように、本実施形態に係る枠体２０の組付構造１００は、上記した枠体２０と、外枠パネル３０とを備える。
【００２５】
枠体２０は、開口部２１と、突起部２４とを備える。開口部２１は、枠体２０が外枠パネル３０に組み付けられた状態のときに、ディスプレイ装置１０の画面１１ａを露出させる開口である。
【００２６】
突起部２４は、枠体２０の周縁部２２に形成される凸状の部位である。突起部２４は、枠体２０が外枠パネル３０に組み付けられた状態のときに外枠パネル３０へ向けて突出するように形成される。なお、枠体２０の詳細な構成については、図３〜７等を用いて後述する。
【００２７】
外枠パネル３０は、開口部３１と、溝部３４とを備える。開口部３１は、枠体２０の開口部２１と同様、ディスプレイ装置１０の画面１１ａを露出させる開口である。かかる開口部３１に、ディスプレイ装置１０が配置されることで、外枠パネル３０は、ディスプレイ装置１０の周縁部を囲むように設けられることとなる。
【００２８】
溝部３４は、外枠パネル３０の周縁部３２に形成される。また、溝部３４は、上記した枠体２０の突起部２４が挿入可能とされる。なお、外枠パネル３０の詳細な構成については、図８〜１１等を用いて後述する。
【００２９】
次に、上記のように構成された枠体２０の外枠パネル３０への組み付けについて説明する。先ず、図１の下段図の左図に示すように、枠体２０は、図示しない作業者によって、突起部２４が外枠パネル３０の周縁部３２に載置される。詳しくは、枠体２０は、突起部２４が外枠パネル３０の周縁部３２に形成された溝部３４付近に位置されるようにして載置される。言い換えると、枠体２０は、側面視において外枠パネル３０とＬ字状をなすように、外枠パネル３０の周縁部３２に載置される。なお、作業者は、例えば、枠体２０を片手で持った状態で外枠パネル３０に載置することができる。
【００３０】
続いて、作業者が枠体２０を放すと、枠体２０は、突起部２４の載置された部位を支点Ａとして回転させられる（矢印Ｄ１参照）。そして、図１の下段図の右図に示すように、枠体２０にあっては、回転しながら、突起部２４が外枠パネル３０の溝部３４に入り込み、その後突起部２４が溝部３４に挿入されることで、外枠パネル３０と対向した状態で組み付けられる。なお、図１の下段図の右図にあっては、理解の便宜のため、回転させられて突起部２４が溝部３４に入り込む状態の枠体２０を二点鎖線示した。
【００３１】
このように、本実施形態に係る枠体２０および外枠パネル３０が上記のように構成されることで、例えば、作業者は、枠体２０を外枠パネル３０に載置したり、枠体２０を放して回転させたりする作業を片手で行うことが可能となり、また、枠体２０を載置して放すことで、外枠パネル３０に組み付けることができる。
【００３２】
これにより、本実施形態にあっては、枠体２０の外枠パネル３０への組み付けを容易にするようにことができ、結果として枠体２０の外枠パネル３０への組み付け性を向上させることができる。
【００３３】
＜２．枠体の組付構造などの詳細な構成＞
次に、実施形態に係る枠体２０の組付構造１００などの詳細な構成について、図２以降を参照して説明する。図２は、枠体２０の組付構造１００、ディスプレイ装置１０および意匠パネル４０の分解斜視図である。
【００３４】
＜２．１．ディスプレイ装置＞
図２に示すように、ディスプレイ装置１０は、上記した表示部１１と、本体部１２とを備える。表示部１１の画面１１ａは、正面視において矩形状とされるが、これに限定されるものではない。
【００３５】
本体部１２は、例えば略直方体状の筐体であり、表示部１１に接続される。本体部１２においては、内部にディスプレイ装置１０の全体制御を行うＣＰＵ（Central  Processing  Unit。図示せず）などの各種部品が収納される。上記したように、ディスプレイ装置１０には、周縁部を囲むように、詳しくは、表示部１１の周縁部を囲むように、外枠パネル３０が設けられる。
【００３６】
＜２．２．意匠パネル＞
次に、意匠パネル４０について説明する。図２に示すように、意匠パネル４０は、例えば枠体であり、表示部１１の画面１１ａを露出させる開口部４１が形成される。なお、図示は省略するが、意匠パネル４０の前方（Ｙ軸正方向）側の面には、例えば係止クリップなどが形成され、かかる係止クリップがインパネ３（図１参照）に係止されることで、意匠パネル４０がインパネ３に取り付けられる。
【００３７】
＜２．３．枠体＞
次に、枠体２０の組付構造１００を構成する枠体２０および外枠パネル３０のうち、枠体２０について図３〜図６を参照して説明する。図３は、枠体２０を示す背面図であり、枠体２０の前方（Ｙ軸正方向）側の面を示す図である。図４は枠体２０の側面図、図５は枠体２０の上面図、図６は枠体２０の下面図である。
【００３８】
図３に示すように、枠体２０は、突起部２４と、爪部２６と、嵌合部２７と、リブ部２９とを備える。なお、枠体２０は、例えば樹脂製とされるが、これに限られない。
【００３９】
上記した突起部２４、爪部２６、嵌合部２７およびリブ部２９は、枠体２０において開口部２１の周縁部２２に形成される。以下、枠体２０の周縁部２２のうち、開口部２１に対して下方の周縁部２２を「下方周縁部２２ａ」、上方の周縁部２２を「上方周縁部２２ｂ」、左右の側方にある周縁部２２を「側方周縁部２２ｃ」と記載する場合がある。
【００４０】
突起部２４は、図３〜６に示すように、枠体２０の下方周縁部２２ａ（図５では見えず）に形成される。また、突起部２４は、下方周縁部２２ａに複数個（例えば２個）形成される。詳しくは、突起部２４は、下方周縁部２２ａにおいて両端付近、具体的には、側方周縁部２２ｃ付近にそれぞれ１個ずつ形成される。
【００４１】
なお、上記した突起部２４の個数は、あくまでも例示であって限定されるものではなく、例えば１個あるいは３個以上であってもよい。また、下方周縁部２２ａにおいて突起部２４が形成される位置は、任意に変更することができる。
【００４２】
突起部２４は、上記したように、枠体２０が外枠パネル３０に組み付けられた状態のときに外枠パネル３０へ向けて突出するように形成される、言い換えると、前方（Ｙ軸正方向）へ向けて突出するように形成される。なお、以下では、枠体２０が外枠パネル３０に組み付けられた状態を、単に「組み付け状態」と記載する場合がある。
【００４３】
突起部２４は、例えば、平板状に形成されるが、これに限定されるものではない。また、図５および図６に示すように、突起部２４の先端部位２４ａ付近には、後述するネジＢ１（図１２Ｄ参照）が挿通されるネジ孔２４ｂが形成される。
【００４４】
図７は、突起部２４の拡大側面図である。図７に示すように、突起部２４は、先端部位２４ａが面取りして形成される。例えば、突起部２４は、先端部位２４ａが先端に向かって厚さが減少するように面取りして形成される。なお、図７においては、面取りした面取り部位を符号２４ａ１で示した。
【００４５】
突起部２４にあっては、面取り部位２４ａ１が形成されることから、枠体２０が外枠パネル３０に載置されて回転させられるときに、後述する外枠パネル３０の規制部３５を乗り越えにくくすることができるが、これについては、図１５を参照して後に説明する。
【００４６】
上記のように構成される突起部２４にあっては、外枠パネル３０の溝部３４（図１，８等参照）に挿入されることで、下方周縁部２２ａ付近において枠体２０の外枠パネル３０に対するがたつきを抑制することができるが、これについては後述する。
【００４７】
図３〜６の説明に戻ると、爪部２６は、枠体２０の上方周縁部２２ｂ（図６では見えず）に形成される。また、爪部２６は、上方周縁部２２ｂに複数個（例えば２個）形成される。詳しくは、爪部２６は、上方周縁部２２ｂにおいて両端付近、具体的には、側方周縁部２２ｃ付近にそれぞれ１個ずつ形成される。また、爪部２６は、図５に示すように、上面視において、上記した２個の突起部２４の間、換言すれば、２個の突起部２４より中央寄りに形成される。
【００４８】
なお、上記した爪部２６の個数は、あくまでも例示であって限定されるものではなく、例えば１個あるいは３個以上であってもよい。また、上方周縁部２２ｂにおいて爪部２６が形成される位置は、任意に変更することができる。
【００４９】
爪部２６は、突起部２４と同じ方向へ向けて突出するように形成される。すなわち、爪部２６は、組み付け状態のときに外枠パネル３０へ向けて突出するように形成される、言い換えると、前方（Ｙ軸正方向）へ向けて突出するように形成される。
【００５０】
爪部２６は、例えば、平板状に形成されるとともに、先端部位２６ａが湾曲するように形成されるが、これに限定されるものではない。また、図５および図６に示すように、爪部２６の先端部位２６ａ付近には、後述するネジＢ２（図１２Ｄ参照）が挿通されるネジ孔２６ｂが形成される。
【００５１】
上記のように構成される爪部２６にあっては、外枠パネル３０の爪部用挿入孔３６（図８等参照）に挿入されることで、上方周縁部２２ｂ付近において枠体２０の外枠パネル３０に対するがたつきを抑制することができるが、これについては後述する。
【００５２】
嵌合部２７は、外枠パネル３０と嵌合する部位であり、例えば、枠体２０の側方周縁部２２ｃに形成される。なお、嵌合部２７は、枠体２０の側方周縁部２２ｃにそれぞれ１個形成されるが、これは例示であって限定されるものではなく、例えば側方周縁部２２ｃにそれぞれ２個以上形成されてもよい。また、嵌合部２７は、左右の側方周縁部２２ｃのいずれか一方に形成されてもよい。また、嵌合部２７が形成される位置は、任意に変更することができ、また、側方周縁部２２ｃに限られない。
【００５３】
嵌合部２７は、突起部２４や爪部２６と同じ方向へ向けて突出するように形成される。すなわち、嵌合部２７は、組み付け状態のときに外枠パネル３０へ向けて（前方（Ｙ軸正方向）へ向けて）突出するように形成される。
【００５４】
嵌合部２７は、例えば、平板状で、かつ、弾性変形可能に形成される。また、嵌合部２７は、図４に示すように、中央付近に嵌合孔２７ａが形成される。嵌合部２７は、組み付け状態のとき、嵌合孔２７ａに外枠パネル３０の凸部３７（図８等参照）が入り込むことで、凸部３７と嵌合する。これにより、枠体２０は、外枠パネル３０に対して固定されることとなるが、これについては後述する。
【００５５】
リブ部２９は、図３および図４に示すように、枠体２０の側方周縁部２２ｃにそれぞれ形成されるとともに、嵌合部２７に隣接して設けられる。詳しくは、リブ部２９は、嵌合部２７に対して、下方（Ｚ軸正方向）および上方（Ｚ軸正方向）に隣接するように形成される。
【００５６】
より詳しくは、リブ部２９は、嵌合部２７に対して下方に隣接する位置に２個、上方に隣接する位置に２個形成される。以下、嵌合部２７に隣接して設けられるリブ部２９のうち、嵌合部２７に対して下方に形成されるリブ部２９を「第１リブ部２９ａ」、上方に形成されるリブ部２９を「第２リブ部２９ｂ」と記載する場合がある。
【００５７】
第１、第２リブ部２９ａ，２９ｂは、例えば、平板状であり、突起部２４などと同じ方向へ向けて突出するように形成される。すなわち、第１、第２リブ部２９ａ，２９ｂは、組み付け状態のときに外枠パネル３０へ向けて（前方（Ｙ軸正方向）へ向けて）突出するように形成される。
【００５８】
また、図４に示すように、例えば、第１リブ部２９ａの側方周縁部２２ｃからの突出幅Ｅ１は、第２リブ部２９ｂの突出幅Ｅ２より大きくなるように設定されるが（Ｅ１＞Ｅ２）、これに限定されるものではない。
【００５９】
また、上記では、第１、第２リブ部２９ａ，２９ｂは、側方周縁部２２ｃにそれぞれ２個形成されるようにしたが、これは例示であって限定されるものではなく、例えば１個あるいは３個以上形成されてもよい。また、第１、第２リブ部２９ａ，２９ｂが形成される位置は、任意に変更することができる。
【００６０】
上記のように構成される第１、第２リブ部２９ａ，２９ｂにおいては、組み付け状態のとき、外枠パネル３０のリブ部用挿入孔３９（図８等参照）に挿入される。これにより、第１、第２リブ部２９ａ，２９ｂにあっては、側方周縁部２２ｃ付近において枠体２０の外枠パネル３０に対するがたつきを抑制することができるととともに、嵌合部２７付近の左右方向の強度を向上させることができるが、これについては後述する。
【００６１】
＜２．４．外枠パネル＞
次に、外枠パネル３０について説明する。図８は、外枠パネル３０を示す正面図であり、枠体２０の後方（Ｙ軸負方向）側の面を示す図である。なお、図８および後述する図９〜１１においては、理解の便宜のため、外枠パネル３０が設けられるディスプレイ装置１０を二点鎖線で示した。
【００６２】
図８に示すように、外枠パネル３０は、凹部３３と、上記した溝部３４と、爪部用挿入孔３６と、凸部３７と、リブ部用挿入孔３９とを備える。なお、リブ部用挿入孔３９は、第１挿入孔の一例である。また、爪部用挿入孔３６は、第２挿入孔の一例である。また、外枠パネル３０は、例えば樹脂製とされるが、これに限られない。
【００６３】
上記した凹部３３、溝部３４、爪部用挿入孔３６、凸部３７およびリブ部用挿入孔３９は、外枠パネル３０において開口部３１の周縁部３２に形成される。以下、外枠パネル３０の周縁部３２のうち、開口部３１に対して下方の周縁部３２を「下方周縁部３２ａ」、上方の周縁部３２を「上方周縁部３２ｂ」、左右の側方にある周縁部３２を「側方周縁部３２ｃ」と記載する場合がある。
【００６４】
凹部３３は、外枠パネル３０の下方周縁部３２ａに形成される。図９は、図８のIX−IX線断面図であり、凹部３３付近を示す拡大断面図である。
【００６５】
上記したように、枠体２０を外枠パネル３０に組み付ける場合、先ず枠体２０の突起部２４が外枠パネル３０の周縁部３２（正確には下方周縁部３２ａ）に載置されるが、凹部３３は、図８および図９に示すように、下方周縁部３２ａにおいて、載置される突起部２４に対応する位置に形成される。
【００６６】
なお、図９にあっては、理解の便宜のため、外枠パネル３０の下方周縁部３２ａに載置された枠体２０を一点鎖線で示している。但し、上述したように、枠体２０を外枠パネル３０に組み付ける際、ディスプレイ装置１０の画面１１ａ側が鉛直上向きであることから、図９における外枠パネル３０の向きは、枠体２０が載置されるときの向きとは異なっている。
【００６７】
また、凹部３３は、例えば、下方周縁部３２ａにおいてＹ軸正方向へ向けて凹むような切り欠き状に形成される。従って、凹部３３は、枠体２０の突起部２４が下方周縁部３２ａに載置されたときに、突起部２４と係止する。このように、凹部３３は、突起部２４が係止されることで、下方周縁部３２ａに載置された枠体２０の外枠パネル３０に対する位置決めを行うことができるとともに、枠体２０の外枠パネル３０に対する左右方向のがたつきを抑制することができるが、これについては図１３を参照して後述する。
【００６８】
溝部３４は、外枠パネル３０の下方周縁部３２ａに形成される。例えば、溝部３４は、凹部３３に対して上方（Ｚ軸正方向）側、言い換えると、開口部３１側に形成され、上記したように、枠体２０の突起部２４が挿入可能とされる。また、溝部３４において、挿入されたときの突起部２４のネジ孔２４ｂと対応する位置には、ネジＢ１（図１２Ｄ参照）が挿通されるネジ孔３４ａ，３４ｂが形成される。
【００６９】
また、溝部３４は、規制部３５を備える。規制部３５は、図９に示すように、凹部３３に載置された突起部２４の移動を規制する。詳しくは、規制部３５は、突起部２４が外枠パネル３０の下方周縁部３２ａに載置されたときに、先端部位３５ａが突起部２４の先端部位２４ａに当接するように形成される。これにより、規制部３５は、例えば、載置された突起部２４の開口部３１側への移動を規制するストッパとして機能することができるとともに、突起部２４の位置決めを行うこともできる。
【００７０】
また、規制部３５は、突起部２４と当接する先端部位３５ａが先端に向かって凸状となるように湾曲して形成される。これにより、規制部３５は、枠体２０を回転させて外枠パネル３０に組み付ける際、枠体２０をスムーズに回転させるガイドとして機能することができるが、これについては図１５を参照して後述する。
【００７１】
図８に戻って爪部用挿入孔３６について説明する。爪部用挿入孔３６は、外枠パネル３０の上方周縁部３２ｂに形成される。図１０は、図８のＸ−Ｘ線断面図であり、爪部用挿入孔３６付近を示す拡大断面図である。
【００７２】
爪部用挿入孔３６は、上記したように、組み付け状態のときに、枠体２０の爪部２６が挿入されることから、図８および図１０に示すように、上方周縁部３２ｂにおいて、組み付け状態のときの爪部２６に対応する位置に形成される。なお、図１０にあっては、理解の便宜のため、組み付け状態の枠体２０の爪部２６を一点鎖線で示している。
【００７３】
図１０に示すように、爪部用挿入孔３６は、爪部２６が挿入する側の端部３６ａが先端に向かって凸状となるように湾曲して形成される。他方、枠体２０の爪部２６においても、爪部用挿入孔３６に挿入される先端部位２６ａが先端に向かって凸状となるように湾曲して形成される。このように、例えば、爪部２６を爪部用挿入孔３６に挿入する際に引っ掛かり易い先端部位２６ａや端部３６ａを湾曲させることで、引っ掛かりにくくなり、結果として爪部２６を爪部用挿入孔３６へスムーズに挿入させることが可能となる。
【００７４】
図８に戻って凸部３７について説明する。凸部３７は、外枠パネル３０の側方周縁部３２ｃに形成される。図１１は、図８のXI−XI線断面図であり、凸部３７付近を示す拡大断面図である。
【００７５】
凸部３７は、上記したように、組み付け状態のときに、枠体２０の嵌合部２７と嵌合することから、図８および図１１に示すように、側方周縁部３２ｃにおいて、組み付け状態のときの嵌合部２７に対応する位置に形成される。なお、図１１にあっては、理解の便宜のため、組み付け状態の枠体２０の嵌合部２７を一点鎖線で示している。
【００７６】
また、図１１に示すように、外枠パネル３０の側方周縁部３２ｃにおいては、後方（Ｙ軸負方向）側の端部３８が、例えば、テーパ状に形成されてもよい。これにより、嵌合部２７が凸部３７に嵌合し易くすることができる。すなわち、側方周縁部３２ｃの端部３８は、枠体２０が外枠パネル３０に組み付けられる際に、嵌合部２７が当たって引っ掛かり易い部位である。そこで、本実施形態においては、端部３８がテーパ状に形成されるようにすることで、嵌合部２７が引っ掛かりにくくなり、結果として嵌合部２７を凸部３７までスムーズに移動させて、凸部３７と嵌合し易くすることができる。
【００７７】
図８に戻ってリブ部用挿入孔３９について説明する。リブ部用挿入孔３９は、外枠パネル３０の側方周縁部３２ｃに形成される。リブ部用挿入孔３９は、上記したように、組み付け状態のときに、枠体２０の第１、第２リブ部２９ａ，２９ｂが挿入される。以下、第１リブ部２９ａが挿入されるリブ部用挿入孔３９を「第１リブ部用挿入孔３９ａ」、第２リブ部２９ｂが挿入されるリブ部用挿入孔３９を「第２リブ部用挿入孔３９ｂ」と記載する場合がある。
【００７８】
従って、第１リブ部用挿入孔３９ａは、側方周縁部３２ｃにおいて、組み付け状態のときの第１リブ部２９ａに対応する位置に形成される。また、第２リブ部用挿入孔３９ｂは、側方周縁部３２ｃにおいて、組み付け状態のときの第２リブ部２９ｂに対応する位置に形成される。
【００７９】
＜３．枠体の組付方法＞
次に、上記のように構成された枠体２０の外枠パネル３０への組付方法（組付手順）について、図１２Ａ以降を参照しつつ説明する。図１２Ａ〜１２Ｄは、枠体２０の組付方法を説明するための図である。なお、上記したように、枠体２０は、画面１１ａ側が鉛直上向きのディスプレイ装置１０に設けられた外枠パネル３０に取り付けられるものとする。
【００８０】
図１２Ａに示すように、枠体２０は、突起部２４（一部見えず）が外枠パネル３０の下方周縁部３２ａに載置される。なお、図示は省略するが、作業者は、例えば、枠体２０を片手で持った状態で外枠パネル３０に載置しているものとする。図１３および図１４は、外枠パネル３０の下方周縁部３２ａに載置された突起部２４付近を示す拡大斜視図である。
【００８１】
図１３および図１４に示すように、枠体２０は、突起部２４が、外枠パネル３０の凹部３３に係止された状態で、外枠パネル３０の下方周縁部３２ａに載置される。このように、本実施形態にあっては、突起部２４が凹部３３に係止されることで、下方周縁部３２ａに載置された枠体２０の外枠パネル３０に対する左右方向の位置決めを行うことができるとともに、枠体２０の外枠パネル３０に対する左右方向のがたつきを抑制することができる。
【００８２】
また、図１４に示すように、外枠パネル３０には、規制部３５が形成されることから、突起部２４が外枠パネル３０の下方周縁部３２ａに載置されたときに、突起部２４の先端部位２４ａを規制部３５（正確には規制部３５の先端部位３５ａ）に当接させることが可能となる。これにより、本実施形態にあっては、例えば、載置された突起部２４の開口部３１側（奥行側）への移動を規制部３５で規制でき、よって突起部２４の位置決めを精度良く行うことができる。
【００８３】
図１２Ａの説明に戻ると、続いて、作業者Ｃが外枠パネル３０に載置されている枠体２０を放す。これにより、枠体２０は、矢印Ｄ２で示すように、回転させられる。
【００８４】
図１５は、回転させられる枠体２０の突起部２４付近を示す縦断面図である。図１５に示すように、作業者が枠体２０を放すと、枠体２０は、突起部２４の載置された部位を支点Ａとして回転させられる。
【００８５】
ここで、上記したように、規制部３５は、突起部２４と当接する先端部位３５ａが湾曲して（Ｒ形状に）形成されることから、規制部３５における突起部２４との接触面積を比較的小さくでき、よって枠体２０がスムーズに回転するようにガイドすることができる。
【００８６】
また、突起部２４にあっては、先端部位２４ａに面取り部位２４ａ１が形成されることから、外枠パネル３０の規制部３５を乗り越えにくくすることができる。すなわち、例えば仮に、突起部２４の先端部位２４ａが湾曲した形状にされると、規制部３５の先端部位３５ａに引っ掛かりにくいため、枠体２０の回転中に突起部２４が規制部３５を乗り越えてしまい、溝部３４に挿入されなくなるおそれがある。本実施形態にあっては、突起部２４の先端部位２４ａに面取り部位２４ａ１が形成されるため、規制部３５の先端部位３５ａに引っ掛かり易く、よって枠体２０の回転中に突起部２４が規制部３５を乗り越えにくくすることができ、よって溝部３４に挿入されなくなることを抑制することができる。
【００８７】
枠体２０がさらに回転すると、枠体２０の位置状態は、図１２Ａで示す状態から、図１２Ｂ、図１２Ｃへ遷移する。このとき、枠体２０にあっては、回転しながら、突起部２４が外枠パネル３０の溝部３４に入り込むこととなる。
【００８８】
図１６は、突起部２４が溝部３４に入り込む様子を示す縦断面図である。図１６に示すように、枠体２０は、回転に伴って外枠パネル３０の下方周縁部３２ａに載置されなくなると、突起部２４が先端部位２４ａを先頭にして溝部３４に挿入されることとなる（矢印Ｄ３参照）。その後、突起部２４が溝部３４に完全に挿入されることで、図１２Ｄに示すように、枠体２０は、外枠パネル３０と対向した状態で組み付けられる。
【００８９】
このとき、枠体２０にあっては、突起部２４が溝部３４に挿入されることから（図１の下段図の右図参照）、下方周縁部２２ａ付近において外枠パネル３０に対するがたつきを抑制することができる。
【００９０】
なお、突起部２４が先端部位２４ａを先頭にして溝部３４に挿入される際、図示は省略するが、枠体２０にあっては、第１リブ部２９ａが第１リブ部用挿入孔３９ａに挿入され、続いて第２リブ部２９ｂが第２リブ部用挿入孔３９ｂに挿入されることとなる（図３および図８参照）。
【００９１】
このように、本実施形態にあっては、第１、第２リブ部２９ａ，２９ｂが第１、第２リブ部用挿入孔３９ａ，３９ｂに挿入されることで、例えば、枠体２０の側方周縁部２２ｃ付近において外枠パネル３０に対するがたつきを抑制することができるととともに、嵌合部２７付近の左右方向の強度を向上させることができる。
【００９２】
また、図１０に示すように、枠体２０は、外枠パネル３０と対向した状態で組み付けられる状態のとき（図１２Ｄ参照）、爪部２６が外枠パネル３０の爪部用挿入孔３６に挿入される。
【００９３】
このように、本実施形態にあっては、爪部２６が爪部用挿入孔３６に挿入されることで、例えば、枠体２０の上方周縁部２２ｂ付近において外枠パネル３０に対するがたつきを抑制することができる。
【００９４】
また、枠体２０は、外枠パネル３０と対向した状態で組み付けられる状態のとき（図１２Ｄ参照）、嵌合部２７が凸部３７と嵌合する。図１７は、凸部３７と嵌合した嵌合部２７を示す斜視図である。
【００９５】
図１７に示すように、枠体２０は、外枠パネル３０と対向した状態で組み付けられる際、回転してきた枠体２０の自重により、嵌合部２７の嵌合孔２７ａに外枠パネル３０の凸部３７が入り込み、嵌合部２７が凸部３７と嵌合する。これにより、枠体２０は、外枠パネル３０に対して固定される。
【００９６】
このように、本実施形態にあっては、回転してきた枠体２０の自重により、嵌合部２７が凸部３７と嵌合して、枠体２０が外枠パネル３０に固定されることから、例えば、作業者による枠体２０の押し込み作業を不要にすることができ、結果として枠体２０の組み付け性をより一層向上させることができる。
【００９７】
そして、嵌合部２７が凸部３７と嵌合した枠体２０にあっては、図１２Ｄに示すように、ネジＢ１が突起部２４のネジ孔２４ｂおよび溝部３４のネジ孔３４ａ，３４ｂ（図９参照）に挿通される。また、ネジＢ２は、爪部用挿入孔３６で枠体２０の爪部２６を挟み込むようにして爪部２６のネジ孔２６ｂ（いずれも図１０参照）に挿通される。これにより、枠体２０は、外枠パネル３０に締結されて固定され、枠体２０の組み付けが完了する。
【００９８】
上述してきたように、実施形態は、枠体２０をディスプレイ装置１０（機器の一例）に設けられた外枠パネル３０に組み付ける枠体２０の組付構造１００であって、突起部２４と、溝部３４とを備える。突起部２４は、枠体２０の周縁部２２に形成されるとともに、枠体２０が外枠パネル３０に組み付けられた状態のときに外枠パネル３０へ向けて突出するように形成される。溝部３４は、外枠パネル３０の周縁部３２に形成され、突起部２４が挿入可能とされる。
【００９９】
また、枠体２０は、突起部２４が外枠パネル３０の周縁部３２に載置された後、突起部２４の載置された部位を支点Ａとして回転させられて、突起部２４が溝部３４に挿入されることで、外枠パネル３０と対向した状態で組み付けられる。これにより、枠体２０の組み付け性を向上させることができる。
【０１００】
なお、上記した実施形態にあっては、凸部３７が外枠パネル３０の周縁部３２に形成される一方、凸部３７と嵌合する嵌合部２７が枠体２０の周縁部２２に形成されるようにしたが、これに限られない。すなわち、例えば、凸部が枠体２０の周縁部２２に形成され、嵌合部が外枠パネル３０の周縁部３２に形成されるようにしてもよい。このように、本実施形態において、凸部３７は枠体２０および外枠パネル３０のうちの一方の周縁部に形成され、嵌合部２７は枠体２０および外枠パネル３０のうちの他方の周縁部に形成されてもよい。
【０１０１】
なお、上記では、実施形態に係る枠体の組付構造１００が、ディスプレイ装置１０を含む車載機器に適用される場合を例にとって説明したが、これに限定されるものではなく、例えばテレビ、カメラ、パーソナルコンピュータ、冷蔵庫、洗濯機などの家電機器を含むその他の機器に適用されてもよい。
【０１０２】
また、上記では、枠体２０の組み付けが作業者によって行われるようにしたが、これに限定されるものではなく、例えば作業ロボットによって行われるようにしてもよい。
【０１０３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０４】
１０  ディスプレイ装置
２０  枠体
２４  突起部
２６  爪部
２７  嵌合部
２９  リブ部
３０  外枠パネル
３３  凹部
３４  溝部
３５  規制部
３６  爪部用挿入孔
３７  凸部
３９  リブ部用挿入孔
【図１】
2019218024.tif 000003
【図２】
2019218024.tif 000004
【図３】
2019218024.tif 000005
【図４】
2019218024.tif 000006
【図５】
2019218024.tif 000007
【図６】
2019218024.tif 000008
【図７】
2019218024.tif 000009
【図８】
2019218024.tif 000010
【図９】
2019218024.tif 000011
【図１０】
2019218024.tif 000012
【図１１】
2019218024.tif 000013
【図１２Ａ】
2019218024.tif 000014
【図１２Ｂ】
2019218024.tif 000015
【図１２Ｃ】
2019218024.tif 000016
【図１２Ｄ】
2019218024.tif 000017
【図１３】
2019218024.tif 000018
【図１４】
2019218024.tif 000019
【図１５】
2019218024.tif 000020
【図１６】
2019218024.tif 000021
【図１７】
2019218024.tif 000022